【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
粒子状物質を監視する方法において、
１つ以上の基板上で流れる空気から粒子を捕捉することであって、前記捕捉することは、静電および機械的捕獲器のうちの１つ以上を用いて実行される、ことと、
捕捉された前記粒子に対して、１つ以上の感知動作を実行することと、
前記１つ以上の感知動作の結果に基づいて、前記捕捉された粒子を分析することと、
を含み、
前記粒子が前記基板上で捕捉されると、前記粒子は、前記１つ以上の感知動作を前記粒子に対して実行するのに十分長い期間にわたって維持され得る前記基板に対する制御位置にくる、方法。
【請求項２】
請求項１に記載の方法において、
前記１つ以上の基板は導電性であり、
前記粒子を前記１つ以上の基板上に捕捉するために、前記方法は、
前記１つ以上の基板のうちの少なくとも１つを第１の電荷で帯電させることと、
前記粒子を、前記第１の電荷の反対である第２の電荷で帯電させることと、をさらに含み、
前記粒子を前記第２の電荷で帯電させることにより、前記粒子が、前記１つ以上の基板に向かって、またその上へとそれる、方法。
【請求項３】
請求項１に記載の方法において、
前記１つ以上の基板は、フィルターを含み、
前記粒子を前記１つ以上の基板上に捕捉するために、前記方法は、
前記空気が、前記１つ以上の基板の前記フィルターを通って、またはこの上を流れることを可能にし、それによって、前記空気中の前記粒子を、前記フィルターのうちの１つ以上によって捕捉させることをさらに含む、方法。
【請求項４】
請求項１、２、または３に記載の方法において、
前記１つ以上の基板は、可動のテープの１つ以上の部分によって形成され、前記可動のテープは、前記１つ以上の基板上での前記粒子の捕捉と同時に粒子が捕捉されていない、他の部分を含む、方法。
【請求項５】
請求項２または３に記載の方法において、
前記１つ以上の基板は、前記基板の本体から離れた方を向く、改質表面を含み、
前記粒子は、前記１つ以上の基板の前記改質表面に付着することによって前記１つ以上の基板上に捕捉される、方法。
【請求項６】
請求項４に記載の方法において、
前記粒子の捕捉が前記可動のテープの別の部分で実行されるように前記可動のテープを前進させることによって、前記粒子が捕捉される前記１つ以上の基板の少なくとも一部を補充することをさらに含む、方法。
【請求項７】
請求項１に記載の方法において、
前記粒子が捕捉される前記１つ以上の基板の少なくとも１つの表面を、機械的手段および静電手段のうちの１つ以上を用いてクリーニングすることをさらに含み、
前記少なくとも１つの表面を、静電手段を用いてクリーニングするため、前記方法は、
前記捕捉された粒子を、第１の電荷に等しい第３の電荷で帯電させるようにさらに機能し、
前記捕捉された粒子を、前記第３の電荷で帯電させることにより、前記粒子は、前記１つ以上の基板から離れて分離する、方法。
【請求項８】
請求項１に記載の方法において、
前記１つ以上の感知動作は、光学感知、音響感知、電磁感知、および誘電感知のうちの１つ以上を実行するように構成された１つ以上のセンサによって実行される、方法。
【請求項９】
請求項８に記載の方法において、
前記１つ以上の感知動作は光学感知を含み、
前記１つ以上の感知動作の前記光学感知を行うため、前記方法は、
視射角で前記１つ以上の基板に向けられた光を用いること、または導波管として前記１つ以上の基板を用いることで前記１つ以上の基板を通って向けられた光を用いることのうちの少なくとも一方によって、前記１つ以上の基板を照らすことと、
前記１つ以上の基板上に捕捉された前記粒子によって散乱する散乱光を検出することと、
前記１つ以上の基板上に捕捉された前記粒子を、前記捕捉された粒子によって散乱する前記散乱光に少なくとも部分的に基づいて撮像することと、
をさらに含む、方法。
【請求項１０】
請求項１に記載の方法において、
前記１つ以上の感知動作の結果は、前記１つ以上の基板上に捕捉された前記粒子の１つ以上の画像を含み、
前記捕捉された粒子を分析することは、
前記捕捉された粒子の前記画像から前記粒子に対応する粒子データを識別することを含む、方法。
【請求項１１】
請求項１０に記載の方法において、
前記捕捉された粒子を分析することは、
汚染または粒子状物質情報を、前記粒子データに基づいて計算することをさらに含む、方法。
【請求項１２】
請求項１に記載の方法において、
前記粒子を捕捉するステップ、前記１つ以上の感知動作を行うステップ、および前記捕捉された粒子を分析するステップのうちの１つ以上の態様を動的に調節することをさらに含む、方法。
【請求項１３】
請求項１２に記載の方法において、
前記動的に調節することは、
（１）前記粒子が捕捉される前記空気の体積または前記空気の体積流量を調節することと、
（２）前記粒子の捕捉、前記１つ以上の感知動作の実行、または前記捕捉された粒子の分析を実行するタイミングを調節することと、
（３）前記１つ以上の基板またはその表面を補充またはクリーニングすることと、
のうちの少なくとも１つを含む、方法。
【請求項１４】
粒子状物質を監視するためのシステムにおいて、
静電および機械的捕獲器のうちの１つ以上を用いて流れる空気から粒子を捕捉するように動作可能な基板と、
捕捉された前記粒子に対して１つ以上の感知動作を実行するように動作可能なセンサと、
前記センサに、前記捕捉された粒子に対して前記１つ以上の感知動作を実行させるように動作可能な少なくとも１つのプロセッサと、
を含み、
前記基板、前記センサ、および前記少なくとも１つのプロセッサは、通信可能に連結され、
前記粒子が前記基板上に捕捉されると、前記粒子は、前記１つ以上の感知動作を前記粒子に対して実行するのに十分長い期間にわたって維持され得る前記基板に対する制御位置にくる、システム。
【請求項１５】
請求項１４に記載のシステムにおいて、
前記基板は、導電性材料を含み、
前記粒子を前記基板上に捕捉するために、前記少なくとも１つのプロセッサは、
前記基板を第１の電荷で帯電させ、
前記空気中の前記粒子を、前記第１の電荷の反対である第２の電荷で帯電させる、
ように動作可能であり、
前記粒子を前記第２の電荷で帯電させることにより、前記粒子が、前記基板に向かって、またその上へとそれる、システム。
【請求項１６】
請求項１４または１５に記載のシステムにおいて、
空気の流れを増減させるように動作可能な空気ポンプをさらに含み、
前記基板は、フィルターを含み、
前記粒子を前記基板上に捕捉するために、前記少なくとも１つのプロセッサは、
前記空気ポンプに、前記基板の前記フィルターを通るか、またはこの上での、前記粒子を含有する前記空気の流れを増減させ、それによって、前記空気中の前記粒子を、前記フィルターのうちの１つ以上によって捕捉させるように動作可能である、システム。
【請求項１７】
請求項１４、１５、または１６に記載のシステムにおいて、
前記基板は、可動のテープの１つ以上の部分によって形成され、前記可動のテープは、前記１つ以上の基板上での前記粒子の捕捉と同時に粒子が捕捉されていない、他の部分を含む、システム。
【請求項１８】
請求項１５または１６に記載のシステムにおいて、
前記基板は、前記基板の本体から離れた方を向く、改質表面を含み、
前記粒子は、前記基板の前記改質表面に付着することによって前記基板上に捕捉される、システム。
【請求項１９】
請求項１４〜１８のいずれか一項に記載のシステムにおいて、
前記少なくとも１つのプロセッサは、機械的手段および静電手段のうちの１つ以上を用いて、前記粒子が捕捉される前記基板の少なくとも１つの表面をクリーニングさせるように、さらに動作可能であり、
前記基板の前記少なくとも１つの表面を、静電手段を用いてクリーニングするため、前記少なくとも１つのプロセッサは、
前記捕捉された粒子を、第１の電荷に等しい第３の電荷で帯電させるようにさらに動作可能であり、
前記捕捉された粒子を、前記第３の電荷で帯電させることにより、前記粒子は、前記基板から離れて分離する、システム。
【請求項２０】
請求項１４〜１９のいずれか一項に記載のシステムにおいて、
照明光源をさらに含み、
前記センサは、カメラを含み、前記センサは、最適な感知を実行するように構成され、
前記最適な感知を実行するために、
（１）前記少なくとも１つのプロセッサは、視射角で前記基板に光を向けること、または導波管として前記基板を用いることで前記基板を通して光を向けることのうちの少なくとも一方によって、前記照明光源に前記基板を照らさせるように動作可能であり、
（２）前記センサは、前記基板上に捕捉された前記粒子によって散乱する散乱光を検出する、システム。
【請求項２１】
請求項２０に記載のシステムにおいて、
前記センサは、前記捕捉された粒子によって散乱する前記散乱光に少なくとも部分的に基づいて、前記捕捉された粒子を撮像するようにさらに動作可能である、システム。
【請求項２２】
請求項２１に記載のシステムにおいて、
前記散乱光は、複数の波長の光で散乱する、システム。
【請求項２３】
請求項４に記載の方法において、
前記可動のテープは、フィルターを含む、方法。
【請求項２４】
請求項１０または１１に記載の方法において、
前記１つ以上の基板上に捕捉された前記粒子の前記１つ以上の画像は、複数の波長の光で前記捕捉された粒子によって散乱する散乱光に少なくとも部分的に基づく、方法。